(57)【要約】【課題】受液槽内の液体のｐＨを自動的に調整できるとともに、上記受液槽にコンパクトに取り付けることができること。【解決手段】受液槽１２内の液体のｐＨ値をｐＨ測定器２１が測定し、この液体のｐＨ値を目標値に調整すべく導出ポンプ２３を動作させて、ボトル２４内の液体を吸込管２５及び吐出管２６を経て上記受液槽内へ導出可能とするｐＨ調整装置２０であって、上記ｐＨ測定器が接続されると共に上記導出ポンプを備えた装置本体２７と、上記ボトルを保持するボトルホルダ部２８とを有し、このボトルホルダ部が装置本体に一体化されると共に、装置本体が上記受液槽に装着されるよう構成されたものである。【選択図】    図２
2005000561.tif 000002
【特許請求の範囲】
【請求項１】
受液槽内の液体のｐＨ値をｐＨ測定器が測定し、この液体のｐＨ値を目標値に調整すべくポンプを動作させて、ボトル内の液体を吸込管及び吐出管を経て上記受液槽内へ導出可能とするｐＨ調整装置であって、
上記ｐＨ測定器が接続されると共に上記ポンプを備えた装置本体と、上記ボトルを保持するボトルホルダ部とを有し、
このボトルホルダ部が上記装置本体に一体化されると共に、上記装置本体が上記受液槽に装着されるよう構成されたことを特徴とするｐＨ調整装置。
【請求項２】
頭髪に頭髪用の液体を掛ける頭髪液供給装置の受液槽内における上記液体のｐＨ値をｐＨ測定器が測定し、この液体のｐＨ値を目標値に調整すべくポンプを動作させて、ボトル内の液体を吸込管及び吐出管を経て上記受液槽内へ導出可能とするｐＨ調整装置であって、
上記ｐＨ測定器が接続されると共に上記ポンプを備えた装置本体と、上記ボトルを保持するボトルホルダ部とを有し、
このボトルホルダ部が上記装置本体に一体化されると共に、上記装置本体が上記受液槽に装着されるよう構成されたことを特徴とするｐＨ調整装置。
【請求項３】
上記装置本体には、その天面に表示・操作パネルが設けられ、その底面にボトルホルダ部が垂設されたことを特徴とする請求項１または２に記載のｐＨ調整装置。
【請求項４】
上記装置本体とボトルホルダ部とが離脱可能に一体化され、上記ボトルホルダ部が受液槽側に固定して取り付けられると共に、上記装置本体が上記受液槽に取り外し可能に装着されることを特徴とする請求項１乃至３のいずれかに記載のｐＨ調整装置。
【請求項５】
上記ポンプに接続されてその先端部がボトル内に配設可能とされる吸込管は、上記ボトルの口部に嵌め込まれて装着されるキャップに一体化されたことを特徴とする請求項１乃至４のいずれかに記載のｐＨ調整装置。
【請求項６】
上記ポンプに接続される吐出管の先端部は、非使用時に、上記ボトル内に大気を導入可能とする大気連通管に接続されることを特徴とする請求項１乃至５のいずれかに記載のｐＨ調整装置。
【請求項７】
上記ｐＨ測定器には、使用時に測定対象の液体中へ注ぎ出る基準液が充填され、当該ｐＨ測定器は、非使用時に、装置本体またはボトルホルダ部に設けられて上記基準液を貯留するリザーバ内の当該基準液に浸漬されることを特徴とする請求項１乃至６のいずれかに記載のｐＨ調整装置。
【発明の詳細な説明】
【０００１】
【発明の属する技術分野】
本発明は、受液槽内の液体のｐＨ値を最適に調整するｐＨ調整装置に関する。
【０００２】
【従来の技術】
例えば、理容室などでは、頭髪に頭髪用の液体（パーマ液など）を掛ける頭髪用液体供給装置が用いられている。
このような頭髪用液体供給装置は、特許文献１に記載のように、頭髪に液体を掛ける液体噴射手段と、この液体噴射手段により供給された液体を受け止めると共に、頭を載置可能な受液槽とを備えたものであり、受液槽に受け止められた液体は、ポンプにより液体噴射手段へ導かれて循環して使用される。
【０００３】
【特許文献１】
特開２００１‐３３３８１５号公報
【０００４】
【発明が解決しようとする課題】
ところが、受液槽内の液体は、循環して使用される過程で酸性からアルカリ性へと変化してしまう。このため、頭髪用液体供給装置の使用者は、ｐＨ測定器を用いて受液槽内の液体のｐＨ値を適宜測定し、頭髪用の液体が詰め込まれたボトルから液体を手動により補充して、受液槽内の液体のｐＨ値を調整している。このようなｐＨ値の調整は、頭髪用液体供給装置の使用者にとって煩雑な作業となっている。
【０００５】
本発明の目的は、上述の事情を考慮してなされたものであり、受液槽内の液体のｐＨを自動的に調整できるとともに、上記受液槽にコンパクトに取り付けることができるｐＨ調整装置を提供することにある。
【０００６】
【課題を解決するための手段】
請求項１に記載の発明は、受液槽内の液体のｐＨ値をｐＨ測定器が測定し、この液体のｐＨ値を目標値に調整すべくポンプを動作させて、ボトル内の液体を吸込管及び吐出管を経て上記受液槽内へ導出可能とするｐＨ調整装置であって、上記ｐＨ測定器が接続されると共に上記ポンプを備えた装置本体と、上記ボトルを保持するボトルホルダ部とを有し、このボトルホルダ部が上記装置本体に一体化されると共に、上記装置本体が上記受液槽に装着されるよう構成されたことを特徴とするものである。
【０００７】
請求項２に記載の発明は、頭髪に頭髪用の液体を掛ける頭髪液供給装置の受液槽内における上記液体のｐＨ値をｐＨ測定器が測定し、この液体のｐＨ値を目標値に調整すべくポンプを動作させて、ボトル内の液体を吸込管及び吐出管を経て上記受液槽内へ導出可能とするｐＨ調整装置であって、上記ｐＨ測定器が接続されると共に上記ポンプを備えた装置本体と、上記ボトルを保持するボトルホルダ部とを有し、このボトルホルダ部が上記装置本体に一体化されると共に、上記装置本体が上記受液槽に装着されるよう構成されたことを特徴とするものである。
【０００８】
請求項３に記載の発明は、請求項１または２に記載の発明において、上記装置本体には、その天面に表示・操作パネルが設けられ、その底面にボトルホルダ部が垂設されたことを特徴とするものである。
【０００９】
請求項４に記載の発明は、請求項１乃至３のいずれかに記載の発明において、上記装置本体とボトルホルダ部とが離脱可能に一体化され、上記ボトルホルダ部が受液槽側に固定して取り付けられると共に、上記装置本体が上記受液槽に取り外し可能に装着されることを特徴とするものである。
【００１０】
請求項５に記載の発明は、請求項１乃至４のいずれかに記載の発明において、上記ポンプに接続されてその先端部がボトル内に配設可能とされる吸込管は、上記ボトルの口部に嵌め込まれて装着されるキャップに一体化されたことを特徴とするものである。
請求項６に記載の発明は、請求項１乃至５のいずれかに記載の発明において、上記ポンプに接続される吐出管の先端部は、非使用時に、上記ボトル内に大気を導入可能とする大気連通管に接続されることを特徴とするものである。
【００１１】
請求項７に記載の発明は、請求項１乃至６のいずれかに記載の発明において、上記ｐＨ測定器には、使用時に測定対象の液体中へ注ぎ出る基準液が充填され、当該ｐＨ測定器は、非使用時に、装置本体またはボトルホルダ部に設けられて上記基準液を貯留するリザーバ内の当該基準液に浸漬されることを特徴とするものである。
【００１２】
【発明の実施の形態】
以下、本発明の実施の形態を、図面に基づき説明する。
図１は、本発明に係るｐＨ調整装置が装着された頭髪用液体供給装置を示す斜視図である。図９は、図１のｐＨ調整装置が装着された頭髪用液体供給装置を示す平面図である。
【００１３】
これらの図に示す頭髪用液体供給装置１０は、例えば美容院などにおいてパーマ施術時に、頭髪用の液体（パーマ液など）を頭髪に掛けるものである。この頭髪用液体供給装置１０は、図１、図９及び図１０に示すように、頭髪に頭髪用の液体を掛ける液体噴射手段１１と、この液体噴射手段１１により噴射された液体を受け止めると共に、頭を載置し得るよう構成された受液槽１２とを備え、受液槽１２に受け止められた頭髪用の液体を、循環ポンプ１３の作用により液体噴射手段１１へ循環して導いて、頭髪に液体を供給している。上記受液槽１２は、本体１４の上部に設けられ、この本体１４に循環ポンプ１３が内蔵される。
【００１４】
この頭髪用液体供給装置１０における液体噴射手段１１を用いて頭髪に頭髪用の液体を掛けて使用している過程で、当該液体は酸性からアルカリ性へと変化してしまう。この頭髪用の液体を所定ｐＨ値の酸性に維持する装置がｐＨ調整装置２０である。
【００１５】
このｐＨ調整装置２０は、図２及び図８に示すように、受液槽１２内の頭髪用の液体のｐＨ値をｐＨ測定器２１が測定し、制御装置２２がｐＨ測定器２１からの測定値と目標値（目標ｐＨ値）とを比較して導出ポンプ２３を動作させ、補充用の頭髪用液体が詰め込まれたボトル２４内から、吸込管２５及び吐出管２６を経て上記液体を受液槽１２内へ導出して、この受液槽１２内の液体のｐＨ値を目標値に自動的に調整し維持する。
このｐＨ調整装置２０は、図２〜図４に示すように、装置本体２７、ボトルホルダ部２８及びキャップ２９を有して構成される。
【００１６】
装置本体２７には、制御装置２２（図８）が内蔵されると共に、ｐＨ測定器２１が接続され、且つその底面３０に導出ポンプ２３が設置される。この導出ポンプ２３に吸込管２５及び吐出管２６がそれぞれ接続されている。また、装置本体２７の天面３１は平坦面形状であり、この天面３１に図５に示す表示・操作パネル３２が配置される。
【００１７】
この表示・操作パネル３２には、目標ｐＨ値表示部３３、ｐＨ値表示部３４、温度表示部３５及び液体使用量表示部３６が設けられると共に、電源ボタン３７、校正ボタン３８、目標ｐＨ値設定ボタン３９、スタート・ストップボタン４０及び手動ボタン４１が設けられている。
【００１８】
電源ボタン３７をＯＮ操作し、目標ｐＨ値設定ボタン３９を操作することにより、受液槽１２内の液体の目標ｐＨ値が設定（例えば選択して設定）され、その値が目標ｐＨ値表示部３３に表示される。また、ｐＨ値表示部３４には、ｐＨ測定器２１にて測定された受液槽１２内の液体の現在のｐＨ値が表示され、温度表示部３５にその液体の現在の温度が表示される。
【００１９】
スタート・ストップボタン４０がＯＮ操作されることによって制御装置２２（図８）が作動し、この制御装置２２は、ｐＨ測定器２１により測定される受液槽１２内の液体の現在のｐＨ値が目標ｐＨ値に一致している否かを判断し、上記現在のｐＨ値が目標ｐＨ値よりも高い場合に、導出ポンプ２３を動作させてボトル２４内の液体を受液槽１２内へ導出する。これにより、この受液槽１２内の液体のｐＨ値が目標ｐＨ値に自動的に調整される。
【００２０】
なお、制御装置２２は、導出ポンプ２３を間欠運転させるが、目標ｐＨ値が低いほど導出ポンプ２３の運転時間を長くして、一定時間内における液体の吐出量を増大させる。例えば、目標ｐＨ値が４．２の場合には、ポンプ運転時間を３秒、ポンプ休止時間を３秒とし、目標ｐＨ値が４．０の場合には、ポンプ運転時間を４秒、ポンプ休止時間を４秒とし、目標ｐＨ値が３．７の場合には、ポンプ運転時間を５秒、ポンプ休止時間を５秒とし、目標ｐＨ値が３．５の場合には、ポンプ運転時間を６秒、ポンプ休止時間を６秒とする。
【００２１】
また、手動ボタン４１のＯＮ操作により導出ポンプ２３が強制動作されて、受液槽１２内の現在のｐＨ値いかんに拘らず、ボトル２４から受液槽１２内へ液体が吐出される。スタート・ストップボタン４０または手動ボタン４１のＯＮ操作時に、ボトル２４から受液槽１２内へ導出された液体の使用量が液体使用量表示部３６に表示される。
【００２２】
なお、スタート・ストップボタン４０の操作前に校正ボタン３８が適宜操作され、ｐＨ値表示部３４及び液体使用量表示部３６等に表示される指示に従うことで、ｐＨ測定器２１の測定精度を確保するための校正が実施される。
【００２３】
更に、この装置本体２７には、図３及び図４に示すように、天面３１側の一部が延在されて引掛け部５０が、側面視Ｌ字形状に形成される。この引掛け部５０は、頭髪用液体供給装置１０における受液槽１２の縁部５１に嵌合して引っ掛けられるよう構成される。これにより、装置本体２７が受液槽１２に取り外し可能に装着される。この装着状態で、装置本体２７は、天面３１が受液槽１２の縁部５１と略同一面となり、また、受液槽１２の外側へ張り出されて、受液槽１２の縁部５１から上方にせり出たり、内側に位置付けられたりせず、この受液槽１２に対し邪魔になることがない。
【００２４】
ところで、前記ボトルホルダ部２８は、図２及び図３に示すフレーム４２のガイド溝４４に、ボトル載置部４３の係合片４５（図６）が係合されて、そのボトル載置部４３がフレーム４２の下端部に取り外し可能に装着されたものであり、図７に示すようにボトル載置部４３にボトル２４が載置される。このボトル載置部４３は、スプリング４６の付勢力によりボトル２４の荷重を支持する載置プレート４７を備える。また、上記ガイド溝４４は、フレーム４２の長手方向に形成される。
【００２５】
図２、図３及び図６に示すように、上記フレーム４２の上端部には係合爪４８が、上方へ向かって突設され、この係合爪４８が、装置本体２７の底面３０に形成された係合穴４９に係合されることで、ボトルホルダ部２８は装置本体２７に離脱可能に一体化される。この状態でボトルホルダ部２８は、装置本体２７の底面３０に下方へ向かって垂設される。これにより、ボトル２４を保持したボトルホルダ部２８は、装置本体２７の上方からの投影面積内に収まるよう構成される。更に、このボトルホルダ部２８におけるフレーム４２の上端部は、ビス５２により装置本体２７の底面３０に固定して一体化される。
【００２６】
また、フレーム４２がビス５３を用いて頭髪用液体供給装置１０の本体１４に固定されることで、ボトルホルダ部２８は頭髪用液体供給装置１０に固定して取り付けられる。なお、このボトルホルダ部２８におけるフレーム４２の上端部は、ビス５２により装置本体２７の底面３０に固定されず、係合爪４８と係合穴４９との係合により、ボトルホルダ部２８が装置本体２７に離脱可能に一体化された状態でもよい。
【００２７】
更に、ボトルホルダ部２８のボトル載置部４３には、リザーバ５９が一体成形される。このリザーバ５９内には、ｐＨ測定器２１に充填された基準液（例えば塩化カリウムなど）と同一種類の基準液が貯留されている。ｐＨ測定器２１は、液体の水素イオン濃度に応じて起電力を発生する電極を用い、測定対象の液体の場合の起電力と基準液の場合の起電力との差から、測定対象の液体のｐＨ値を測定するものであり、測定に際しては、基準液がｐＨ測定器２１から測定対象の液体中へ注ぎ出る。ｐＨ測定器２１は、非使用時に、図７に示すようにリザーバ５９内へ差し込まれて、このリザーバ５９内の基準液に浸漬される。
【００２８】
前記キャップ２９は、図２に示すように、ボトル２４の口部５４に嵌め込まれて装着されるものであり、このキャップ２９に吸込管２５及び大気連通管５５が一体化されている。つまり、装置本体２７の導出ポンプ２３に接続された吸込管２５は、キャップ２９を貫通してこのキャップ２９に一体化され、その吸込側先端部がボトル２４の底部に至るようキャップ２９から延在される。また、大気連通管５５もキャップ２９を貫通してこのキャップ２９に一体化され、大気をボトル２４内に導入可能とする。
【００２９】
更に、キャップ２９には検出シャフト５６も貫通して一体化されている。この検出シャフト５６は、図７に示すように、ボトル２４内の液体量が所定量まで低下して、ボトル２４が、ボトルホルダ部２８のボトル載置部４３における載置プレート４７により持ち上げられたとき、装置本体２７のボトルスイッチ５７をＯＮ操作するものである。このボトルスイッチ５７は、装置本体２７の底面３０に設けられ、ＯＮ操作されることによりその信号が制御装置２２に送信される。このとき、この制御装置２２は、装置本体２７の表示・操作パネル３２のボトルランプ５８（図５）を表示させて、ボトル２４内の液体が所定量以下になった旨を告知する。
【００３０】
また、この表示・操作パネル３２には液体吐出ランプ６１が設けられている。この液体吐出ランプ６１は、導出ポンプ２３の動作中に点灯して、吐出管２６から受液槽１２内へ液体が吐出されている旨を告知する。
【００３１】
図７に示すように、上記大気連通管５５の大気側の先端部には、装置本体２７における吐出管２６の非使用時に、この吐出管２６の吐出側先端部２６Ａが差し込まれて接続されるよう構成される。これにより、吐出管２６内に残留する液体が空気に触れることによる酸化の促進や、吐出管２６内からの液体の流出（液垂れ）が防止される。
【００３２】
また、吐出管２６は使用時には、図８及び図９に示すように、頭髪用液体供給装置１０における受液槽１２の挿入開口６０に、ｐＨ測定器２１と共に差し込まれて、ｐＨ測定器２１が吐出管２６の吐出側先端部２６Ａ近傍に位置づけられる。これにより、ｐＨ測定器２１は、吐出管２６から吐出されたばかりで、受液槽１２内においてｐＨ値の低い領域の液体のｐＨ値を測定することになる。従って、受液槽１２内の液体がｐＨ測定器２１により低めに測定されることになるので、吐出管２６から受液槽１２内へ液体が過剰に導出されることが防止される。
【００３３】
上述のようなｐＨ調整装置２０を頭髪用液体供給装置１０に取り付けるに際しては、図６に示すように、まず、ボトルホルダ部２８のフレーム４２における係合爪４８を、装置本体２７の底面３０の係合穴４９に係合させた後、ビス５２を用いてフレーム４２を装置本体２７に固定する。次に、装置本体２７の引掛け部５０を頭髪用液体供給装置１０における受液槽１２の縁部５１に嵌合して引っ掛けた後、ボトルホルダ部２８のフレーム４２を、ビス５３を用いて頭髪用液体供給装置１０の本体１４に固定する。その後、ボトルホルダ部２８のフレーム４２にボトル載置部４３を、係合片４５を用いて装着する。このとき、必要に応じてビス５２を取り除き、装置本体２７をボトルホルダ部２８に対し離脱し得るようにしてもよい。
【００３４】
従って、上記実施の形態のｐＨ調整装置２０によれば、次の効果▲１▼〜▲８▼を奏する。
▲１▼頭髪用液体供給装置１０の受液槽１２内における頭髪用の液体のｐＨ値をｐＨ測定器２１が測定し、この液体のｐＨ値を目標ｐＨ値に調整すべく導出ポンプ２３を動作させて、ボトル２４内の液体を吸込管２５及び吐出管２６を経て受液槽１２内へ導出可能とするｐＨ調整装置２０が、頭髪用液体供給装置１０に装着されることから、この頭髪用液体供給装置１０の液体噴射手段１１から頭髪へ掛けられる頭髪用の液体のｐＨ値を自動的に目標ｐＨ値に調整でき、頭髪用液体供給装置１０の使用者が手動で液体のｐＨ値を調整する煩雑さを解消できる。
【００３５】
▲２▼ｐＨ調整装置２０は、ｐＨ測定器２１が接続されると共に制御装置２２、導出ポンプ２３及び表示・操作パネル３２を備えた装置本体２７と、ボトル２４を保持するボトルホルダ部２８とを有して構成され、装置本体２７とボトルホルダ部２８とが一体化され、ボトルホルダ部２８が頭髪用液体供給装置１０の本体１４にビス５３を用いて固定され、装置本体２７が頭髪用液体供給装置１０の受液槽１２に引掛け部５０を用いて装着されることから、ｐＨ調整装置２０を頭髪用液体供給装置１０（既存の頭髪用液体供給装置１０を含む。）にコンパクト且つ確実に取り付けることができる。
【００３６】
▲３▼ｐＨ調整装置２０における装置本体２７の底面３０にボトルホルダ部２８が下方へ向かって垂設され、このボトルホルダ部２８が装置本体２７の上方からの投影面積内に収まることから、ｐＨ調整装置２０の据付スペースを減少でき、頭髪用液体供給装置１０を用いた作業においてもｐＨ調整装置２０の存在が邪魔にならず、且つｐＨ調整装置２０の上方からの目視時にボトルホルダ部２８及びボトル２４を装置本体２７により隠すことができる。
【００３７】
▲４▼ｐＨ調整装置２０におけるボトルホルダ部２８が頭髪用液体供給装置１０の本体１４にビス５３を用いて固定され、装置本体２７が引掛け部５０により頭髪用液体供給装置１０の受液槽１２に取り外し可能に装着され、装置本体２７とボトルホルダ部２８とがビス５３により固定されず、係合爪４８及び係合穴４９によって離脱可能に一体化された場合には、装置本体２７を頭髪用液体供給装置１０から適宜取り外すことができる。
【００３８】
▲５▼ｐＨ調整装置２０において、吸込管２５と大気連通管５５とをそれぞれ一体化するキャップ２９が、ボトル２４の口部５４に嵌め込まれてこのボトル２４に装着されることから、このキャップ２９をボトル２４の口部５４にねじ込んで装着する場合に生ずる吸込管２５のボトル２４内での捩れや屈曲などの不具合を確実に防止できる。
【００３９】
▲６▼ｐＨ調整装置２０における吐出管２６の吐出側先端部分２６Ａが、この吐出管２６の非使用時に大気連通管５５に接続されることから、この吐出管２６内に残留する液体が空気に触れることによる酸化の促進や、吐出管２６内からの液体の流出（液垂れ）を確実に防止できる。
【００４０】
▲７▼ｐＨ調整装置２０におけるｐＨ測定器２１は、その非使用時にボトルホルダ部２８のリザーバ５９内に差し込まれて、このリザーバ５９内に貯溜された基準液（塩化カリウムなど）に浸漬されるよう構成されることから、ｐＨ測定器２１内に充填された同一種類の基準液が当該ｐＨ測定器２１の非使用時に流出せず、且つ基準液の注出口が当該基準液の乾燥による結晶化によって閉塞されないので、ｐＨ測定器２１の長寿命化を実現できる。
【００４１】
▲８▼ｐＨ調整装置２０におけるボトルホルダ部２８は、フレーム４２に対しボトル載置部４３が取り外し可能に構成されたことから、例えばボトル載置部４３にボトル２４内の液体が零れ落ちた場合にも、このボトル載置部４３をフレーム４２から取り外して、容易に清掃等を実施できる。
【００４２】
以上、本発明を上記実施の形態に基づいて説明したが、本発明はこれに限定されるものではない。
例えば、上記実施の形態では、ｐＨ調整装置２０におけるボトルホルダ部２８がビス５３を用いて頭髪用液体供給装置１０の本体１４に固定されるものを述べたが、このボトルホルダ部２８は、本体１４に固定されず、ビス５２により固定されて一体化された装置本体２７と共に、頭髪用液体供給装置１０の受液槽１２に取り外し可能に設けられてもよい。
【００４３】
また、ｐＨ測定器２１の基準液を貯留するリザーバは、ボトルホルダ部２８のホルダ載置部４３に一体成形されず、装置本体２７に設けられてもよい。
【００４４】
更に、上記ｐＨ調整装置２０は、頭髪に頭髪用の液体を掛ける頭髪用液体供給装置１０に適用されるものを述べたが、洗浄装置などの他の装置に適用されてもよい。
【００４５】
【発明の効果】
本発明に係るｐＨ調整装置によれば、受液槽内の液体のｐＨを自動的に調整できるとともに、上記受液槽にコンパクトに取り付けることができる。
【図面の簡単な説明】
【図１】本発明に係るｐＨ調整装置が装着された頭髪用液体供給装置を示す斜視図である。
【図２】図１のｐＨ調整装置を示す正面図である。
【図３】図２のＩＩＩ矢視図である。
【図４】図３のＩＶ矢視図で、装置本体のみを示す図である。
【図５】図３のＶ矢視図で、装置本体のみを示す図である。
【図６】図２のｐＨ調整装置における組み立て手順を示す斜視図である。
【図７】ボトルを保持したボトルホルダ部を、一部を破断して示す正面図である。
【図８】図２のｐＨ調整装置における電気回路などを示す回路図である。
【図９】図１のｐＨ調整装置が装着された頭髪用液体供給装置を示す平面図である。
【図１０】図１及び図９の頭髪用液体供給装置の使用状態を示す側断面図である。
【符号の説明】
１０  頭髪用液体供給装置
１２  受液槽
１４  本体
２０  ｐＨ調整装置
２１  ｐＨ測定器
２３  導出ポンプ
２４  ボトル
２５  吸込管
２６  吐出管
２７  装置本体
２８  ボトルホルダ部
２９  キャップ
３０  底面
３１  天面
３２  表示・操作パネル
４８  係合爪
４９  係合穴
５０  引掛け部
５５  大気連通管
５９  リザーバ
【図１】
2005000561.tif 000003
【図２】
2005000561.tif 000004
【図３】
2005000561.tif 000005
【図４】
2005000561.tif 000006
【図５】
2005000561.tif 000007
【図６】
2005000561.tif 000008
【図７】
2005000561.tif 000009
【図８】
2005000561.tif 000010
【図９】
2005000561.tif 000011
【図１０】
2005000561.tif 000012